(57)【要約】【課題】転写体の寿命の低減を防止しつつ、転写体に吐出されたインクを所望の状態にすることが可能なインクジェット画像形成装置を提供する。【解決手段】インクジェット画像形成装置は、活性エネルギー線透過性を有し、インクジェットヘッドから吐出されたインクを表面で担持する転写体と、転写体の裏面に対して活性エネルギー線を照射する照射部と、照射部により照射されて転写体を透過した活性エネルギー線を検出する活性エネルギー線検出部と、活性エネルギー線検出部の検出結果に基づいて、転写体の裏面をクリーニングするか否かについて判定する判定部とを備える。【選択図】図１
2020172079.tif 000002
【特許請求の範囲】
【請求項１】
活性エネルギー線透過性を有し、インクジェットヘッドから吐出されたインクを表面で担持する転写体と、
前記転写体の裏面に対して活性エネルギー線を照射する照射部と、
前記照射部により照射されて前記転写体を透過した活性エネルギー線を検出する活性エネルギー線検出部と、
前記活性エネルギー線検出部の検出結果に基づいて、前記転写体の裏面をクリーニングするか否かについて判定する判定部と、
を備えるインクジェット画像形成装置。
【請求項２】
前記転写体の裏面をクリーニングする裏面クリーニング部を備える、
請求項１に記載のインクジェット画像形成装置。
【請求項３】
前記転写体の表面をクリーニングする表面クリーニング部を備え、
前記活性エネルギー線検出部は、前記活性エネルギー線検出部の検出結果に応じて前記表面クリーニング部により前記転写体の表面がクリーニングされた後に、前記照射部により照射されて前記転写体を透過した活性エネルギー線を検出する、
請求項２に記載のインクジェット画像形成装置。
【請求項４】
前記表面クリーニング部により前記転写体の表面がクリーニングされる場合、前記インクジェットヘッドからインクが吐出されるときと比べて前記表面クリーニング部のクリーニング性能を向上させる制御を行うクリーニング性能制御部を備える、
請求項３に記載のインクジェット画像形成装置。
【請求項５】
前記判定部は、前記転写体の表面がクリーニングされた後に前記活性エネルギー線検出部により検出された前記活性エネルギー線の光量が所定光量以下である場合、前記転写体の裏面をクリーニングすると判定し、
前記裏面クリーニング部は、前記転写体の裏面をクリーニングする、
請求項４に記載のインクジェット画像形成装置。
【請求項６】
前記裏面クリーニング部は、前記転写体の裏面をクリーニングする場合、前記転写体の裏面に接触する一方、前記転写体の裏面をクリーニングしない場合、前記転写体の裏面から離間する、
請求項５に記載のインクジェット画像形成装置。
【請求項７】
前記活性エネルギー線検出部は、前記転写体の裏面がクリーニングされた後、前記照射部により照射されて前記転写体を透過した活性エネルギー線を検出し、
前記活性エネルギー線検出部により検出された前記活性エネルギー線の光量が前記所定光量以下である場合、警告を出力する警告出力部を備える、
請求項５または６に記載のインクジェット画像形成装置。
【請求項８】
前記転写体の裏面側に設けられ、前記転写体の裏面に付着した異物を検出する異物検出部を備える、
請求項１または２に記載のインクジェット画像形成装置。
【請求項９】
前記判定部は、前記活性エネルギー線検出部および前記異物検出部の検出結果に基づいて、前記転写体の裏面をクリーニングするか否かについて判定する、
請求項８に記載のインクジェット画像形成装置。
【請求項１０】
前記判定部は、前記活性エネルギー線検出部により検出された前記活性エネルギー線の光量が所定光量以下であり、かつ、前記異物検出部により検出された前記異物の量が所定量以上である場合、前記転写体の裏面をクリーニングすると判定する、
請求項８または９に記載のインクジェット画像形成装置。
【請求項１１】
前記判定部は、前記活性エネルギー線検出部により検出された前記活性エネルギー線の光量が所定光量以下であり、かつ、前記異物検出部により検出された前記異物の量が所定量未満である場合、前記転写体の裏面をクリーニングしないと判定する、
請求項１０に記載のインクジェット画像形成装置。
【請求項１２】
前記転写体の裏面をクリーニングしないと判定された場合、前記転写体の表面をクリーニングする表面クリーニング部を備える、
請求項１１に記載のインクジェット画像形成装置。
【請求項１３】
前記異物検出部は、前記転写体の裏面に照射光を照射して当該裏面からの反射光を検出し、その検出結果に応じて、前記転写体の裏面に付着した異物を検出する、
請求項８〜１２の何れか１項に記載のインクジェット画像形成装置。
【請求項１４】
前記活性エネルギー線検出部は、前記インクジェットヘッドからインクが吐出されないタイミングにおいて、前記照射部により照射されて前記転写体を透過した活性エネルギー線を検出する、
請求項１〜１３の何れか１項に記載のインクジェット画像形成装置。
【請求項１５】
前記インクジェットヘッドからインクが吐出される前に、前記転写体の表面に前処理液を供給する前処理液供給部を備え、
前記活性エネルギー線検出部は、前記前処理液が供給される前のタイミングにおいて、前記照射部により照射されて前記転写体を透過した活性エネルギー線を検出する、
請求項１〜１４の何れか１項に記載のインクジェット画像形成装置。
【請求項１６】
前記照射部は、前記転写体の裏面に対して、光量が異なる複数の活性エネルギー線を照射し、
前記活性エネルギー線検出部は、前記照射部により照射されて前記転写体を透過した前記複数の活性エネルギー線を検出する、
請求項１〜１５の何れか１項に記載のインクジェット画像形成装置。
【請求項１７】
前記照射部により照射される活性エネルギー線の波長帯域は、前記転写体により担持される前記インクの粘度を調整するために用いられる活性エネルギー線の波長帯域と略同一である、
請求項１〜１６の何れか１項に記載のインクジェット画像形成装置。
【請求項１８】
前記照射部により照射される活性エネルギー線は、紫外線である、
請求項１〜１７の何れか１項に記載のインクジェット画像形成装置。
【請求項１９】
前記照射部により照射される活性エネルギー線は、電子線である、
請求項１〜１７の何れか１項に記載のインクジェット画像形成装置。
【発明の詳細な説明】
【技術分野】
【０００１】
本発明は、インクジェット画像形成装置に関する。
【背景技術】
【０００２】
近年、紙、布帛等の種々の記録媒体に対して高精細な画像を記録する装置として、インクジェットヘッドからインクを吐出して記録媒体に印字するインクジェット方式による画像形成装置（以下、「インクジェット画像形成装置」という）が広く普及している。
【０００３】
インクジェット画像形成装置において、インクジェットヘッドから吐出されるインクを中間転写ベルトなどの像担持体（中間転写体）に担持（形成）させ、担持されたインクを転写ニップでインク像として記録媒体に転写する中間転写方式のものが提案されている（例えば、特許文献１を参照）。
【０００４】
中間転写方式のインクジェット画像形成装置においては、記録媒体に対するインク像の転写性を確保するため、活性エネルギー線で硬化（増粘）するインクを用い、活性エネルギー線透過性を有する中間転写体を使用する構成が挙げられる。この構成では、転写ニップの上流側において中間転写体の裏面側より活性エネルギー線をインクに照射して当該インクをプレ硬化させた後、転写ニップにおいて挟持かつ押圧（ニップ）されるインクに対して、中間転写体の裏面側より活性エネルギー線を照射して当該インクを硬化させる。
【０００５】
ところで、中間転写体の表面（インクジェットヘッドから吐出されたインクが着滴する面）に転写残やミストによる不要なインクや紙粉といった異物が付着（固着）していると、インクに対して適切に活性エネルギー線が照射されず、当該インクを所望の硬化状態にすることができずに転写不良が発生する。そのため、中間転写体を透過する活性エネルギー線の光量を一定量確保する観点から、中間転写体の表面に付着した異物を除去することが行われている。
【０００６】
また、中間転写体の裏面においては、表面よりは少ないものの、紙粉やミストの回り込み等により異物の付着が発生する。この場合、中間転写体を透過する活性エネルギー線の光量が減少する結果、インクに対して適切に活性エネルギー線が照射されず、当該インクを所望の硬化状態にすることができない。そこで、中間転写体の裏面をクリーニングする手段として、クリーニング部材（例えば、ブラシ・ローラー）を当該裏面に対して当接させる構成が挙げられる（例えば、特許文献２を参照）。
【先行技術文献】
【特許文献】
【０００７】
【特許文献１】特開２００９−２２６８０５号公報
【特許文献２】特開２００９−２８２４０３号公報
【発明の概要】
【発明が解決しようとする課題】
【０００８】
しかしながら、特許文献２に記載されているように、中間転写体の裏面に対して常にクリーニングを行う構成においては、中間転写体を透過する活性エネルギー線の光量を一定量確保してインクを所望の硬化状態にすることが可能になる。その一方、常にクリーニングを行うことにより中間転写体への擦過および摩擦による傷が発生しやすく、ひいては中間転写体の寿命が低減してしまうという問題があった。
【０００９】
本発明は、転写体の寿命の低減を防止しつつ、画像形成時に転写体に吐出されたインクを所望の状態にすることが可能なインクジェット画像形成装置を提供することを目的とする。
【課題を解決するための手段】
【００１０】
本発明に係るインクジェット画像形成装置は、
活性エネルギー線透過性を有し、インクジェットヘッドから吐出されたインクを表面で担持する転写体と、
前記転写体の裏面に対して活性エネルギー線を照射する照射部と、
前記照射部により照射されて前記転写体を透過した活性エネルギー線を検出する活性エネルギー線検出部と、
前記活性エネルギー線検出部の検出結果に基づいて、前記転写体の裏面をクリーニングするか否かについて判定する判定部と、
を備える。
【発明の効果】
【００１１】
本発明によれば、転写体の寿命の低減を防止しつつ、転写体に吐出されたインクを所望の状態にすることができる。
【図面の簡単な説明】
【００１２】
【図１】本実施の形態におけるインクジェット画像形成装置の全体構成を概略的に示す図である。
【図２】本実施の形態におけるインクジェット画像形成装置の主要な機能構成を示すブロック図である。
【図３】本実施の形態におけるインクジェット画像形成装置のクリーニング動作例を示すフローチャートである。
【図４】インクジェット画像形成装置の全体構成の変形例を示す図である。
【図５】インクジェット画像形成装置のクリーニング動作の変形例を示すフローチャートである。
【図６】インクジェット画像形成装置の全体構成の変形例を示す図である。
【図７】インクジェット画像形成装置のクリーニング動作の変形例を示すフローチャートである。
【発明を実施するための形態】
【００１３】
以下、本実施の形態におけるインクジェット画像形成装置について、図面を参照して詳細に説明する。図１は、本実施の形態に係るインクジェット画像形成装置１の全体構成を概略的に示す図である。また、図２は、インクジェット画像形成装置１の主要な機能構成を示すブロック図である。
【００１４】
図１に示すように、インクジェット画像形成装置１は、インクジェットヘッド１０２（図２を参照）が搭載されたヘッドユニット１０と、転写ベルト２０（本発明の「転写体」として機能）と、転写ベルト２０を回転可能に張架する従動ローラー２１，２２および駆動ローラーとしての転写ローラー２３と、記録媒体Ｐを搬送する搬送ドラム２４と、装置全体の制御を行う制御部４０（図２を参照）と、を備える。制御部４０は、本発明の「判定部」および「クリーニング性能制御部」として機能する。
【００１５】
また、インクジェット画像形成装置１は、転写ベルト２０に吐出されたインクの粘度を調整する第１ＵＶ照射部２５（本発明の「照射部」として機能）と、記録媒体Ｐに転写されたインクを硬化させる第２ＵＶ照射部２６と、転写ベルト２０の表面をクリーニングする表面クリーニング部２７と、転写ローラー２３および搬送ドラム２４を駆動する搬送駆動部５１とを備える。
【００１６】
なお、図示しないが、インクジェット画像形成装置１は、記録媒体Ｐを積載して搬送ドラム２４に給送する給送部、画像が転写された記録媒体Ｐを搬送ドラム２４の搬送方向下流側に排出する排出部、装置の状態を表示する表示部、等を備える。これらは公知の構成であるため、図示および説明を省略する。また、記録媒体Ｐとしては、普通紙や塗工紙といった紙のほか、布帛またはシート状の樹脂等、表面に着弾したインクを定着させることが可能な種々の媒体を用いることができる。
【００１７】
転写ベルト２０は、上方に配置された従動ローラー２１，２２と、下方に配置された転写ローラー２３（駆動ローラー）とに架け渡されており、搬送駆動部５１の転写モーター（図示せず）の駆動力が転写ローラー２３に伝達されることにより、図１中の時計方向に回転する。
【００１８】
本実施の形態では、転写ベルト２０は、活性エネルギー線透過性を有し、ポリイミド（ＰＩ）の基材上に、シリコンゴムの弾性層と、アルミニウム（Ａｌ）が蒸着された反射層と、ポリプロピレン（ＰＰ）の表層と、が積層された無端ベルトが用いられる。また、転写ローラー２３は、直径１００ｍｍで、表層のゴム厚が１０ｍｍのゴムローラーが用いられる。
【００１９】
インクジェット画像形成装置１では、転写ベルト２０は、制御部４０の制御信号に基づいて上記の転写モーターが駆動され転写ローラー２３が図１中の時計方向に回転することによって、時計方向に回転駆動される。本実施の形態では、制御部４０の制御の下、転写ベルト２０が６００ｍｍ／秒の速さ（印画速度）で回転するように、転写ローラー２３の回転速度が制御される。
【００２０】
搬送ドラム２４は、円柱面状の外周曲面（搬送面）上に記録媒体Ｐを保持した状態で図１の図面に垂直な方向（以下、「直交方向」と称する）に延びた回転軸の回りで回転することで、搬送面に沿った搬送方向に記録媒体Ｐを搬送する。具体的には、搬送ドラム２４は、搬送ドラムモーター（図示せず）を備え、制御部４０の制御により搬送ドラムモーターが駆動されることにより、図１中の反時計方向に回転する。本実施の形態では、搬送ドラム２４として、大型（例えば印刷機用３倍胴）の金属製ドラムが用いられる。
【００２１】
上述した転写ベルト２０および搬送ドラム２４は、８００ｍｍの幅すなわち軸方向の長さを有する。
【００２２】
転写ローラー２３は、搬送ドラム２４の上部に対向して配置され、転写ベルト２０を介して搬送ドラム２４を加圧する。また、転写ベルト２０を挟んで、搬送ドラム２４が転写ローラー２３に圧接されることにより、転写ベルト２０から記録媒体Ｐへ画像を転写する転写ニップＮＰが形成される。本実施の形態では、転写ニップＮＰにおける加重ないし圧接力（以下、「転写圧」という）値は、８０Ｎに設定されている。
【００２３】
ヘッドユニット１０は、転写ベルト２０に対向するインク吐出面に設けられたノズル開口部から転写ベルト２０に対してインクを吐出して画像を転写ベルト２０に担持させる。搬送ドラム２４は、転写ベルト２０に担持された画像が転写ニップＮＰで記録媒体Ｐの所定の位置に転写されるように、記録媒体Ｐを搬送する。
【００２４】
本実施の形態におけるインクジェット画像形成装置１では、イエロー（Ｙ）、マゼンタ（Ｍ）、シアン（Ｃ）、ブラック（Ｋ）の４色のインクにそれぞれ対応する４つのヘッドユニット１０が転写ベルト２０の回転方向上流側からＹ，Ｍ，Ｃ，Ｋの色の順に所定の間隔で並ぶように配列されている。
【００２５】
各ヘッドユニット１０は、インクジェットヘッド１０２（図２を参照）を備える。インクジェットヘッド１０２には、インクを貯留する圧力室と、圧力室の壁面に設けられた圧電素子と、ノズルとを各々有する複数の記録素子が設けられている。この記録素子は、圧電素子を変形動作させる駆動信号が入力されると、圧電素子の変形により圧力室が変形して圧力室内の圧力が変化し、圧力室に連通するノズルからインクを吐出する。
【００２６】
インクジェットヘッド１０２に含まれるノズルの直交方向についての配置範囲は、搬送ドラム２４により搬送される記録媒体Ｐのうち画像が記録される領域の直交方向の幅をカバーしている。ヘッドユニット１０は、画像の記録時には搬送ドラム２４の回転軸に対して位置が固定されて用いられる。すなわち、インクジェット画像形成装置１は、シングルパス形式のインクジェット画像形成装置である。
【００２７】
本実施の形態では、インクジェットヘッド１０２から転写ベルト２０に吐出されるインクとして、転写ベルト２０に供給される活性エネルギー線の量（具体的には、第１ＵＶ照射部２５から出力される紫外線（ＵＶ：ｕｌｔｒａ ｖｉｏｌｅｔ）の光量）に応じて粘度が変化するインクが用いられる。第１ＵＶ照射部２５から照射される活性エネルギー線の光量が多いほど、粘度が高くなる性質のインクが用いられる。すなわち、このインクジェット画像形成装置１の画像形成部は、ＵＶ硬化型インクジェット方式を採用している。
【００２８】
第１ＵＶ照射部２５は、転写ベルト２０の裏面側に配置され、制御部４０の制御の下、転写ニップＮＰよりも上流側において転写ベルト２０の表面に吐出されたインクに対して転写ベルト２０の裏面側から活性エネルギー線を照射し、当該インクをプレ硬化させる。その後、第１ＵＶ照射部２５は、転写ニップＮＰにおいて挟持かつ押圧（ニップ）されるインクに対して、転写ベルト２０の裏面側から活性エネルギー線を照射して当該インクを硬化させる。図１において、第１ＵＶ照射部２５から伸びる点線矢印は、転写ベルト２０の表面に吐出されたインクに対して転写ベルト２０の裏面側から照射された活性エネルギー線を示している。本実施の形態では、第１ＵＶ照射部２５は、波長３９５ｎｍのＵＶ光を出力するＵＶ光源を備え、通常の印刷ジョブにおける照射強度のデフォルト値が５ｍＷ／ｃｍ２とされる。
【００２９】
第２ＵＶ照射部２６は、転写ニップＮＰの下流側に搬送される記録媒体Ｐに活性エネルギー線を照射するように配置されており、制御部４０の制御の下、転写ニップＮＰにより転写されたインク（画像）を本硬化させる。本実施の形態では、第２ＵＶ照射部２６は、波長３９５ｎｍのＵＶ光を出力するＵＶ光源を備え、通常の印刷ジョブにおける照射強度のデフォルト値が１０ｍＷ／ｃｍ２とされる。
【００３０】
表面クリーニング部２７は、転写ベルト２０の移動方向において従動ローラー２１と転写ローラー２３（駆動ローラー）との間における転写ベルト２０の表面に対向配置され、転写ベルト２０の表面をクリーニングするドライウェブ（ウェブローラー）を備える。表面クリーニング部２７のドライウェブは、転写ベルト２０に対して接触離間可能、かつ、回転可能に構成されており、制御部４０の制御により転写ベルト２０に対して接触して回転することにより、転写ベルト２０の表面をクリーニングして当該表面に付着した異物（転写残やミストによる不要なインクや紙粉）を除去する。これにより、転写ベルト２０を透過する活性エネルギー線の光量を一定量確保して、画像形成時に転写ベルト２０に吐出されたインクを所望の状態にすることができる。言い換えると、転写ベルト２０の表面に異物が付着（固着）している場合に、インクに対して適切に活性エネルギー線が照射されず、当該インクを所望の硬化状態にすることができない事態を回避することができる。
【００３１】
次に、主として図２を参照して、インクジェット画像形成装置１における他の主要な機能構成を説明する。インクジェット画像形成装置１は、ヘッドユニット１０が有するヘッド駆動部１０１およびインクジェットヘッド１０２と、制御部４０と、搬送駆動部５１と、入出力インターフェース５２とを備える。
【００３２】
ヘッド駆動部１０１は、制御部４０の制御に基づいてインクジェットヘッド１０２の記録素子に対して適切なタイミングで画像データに応じて圧電素子を変形動作させる駆動信号を出力することにより、インクジェットヘッド１０２のノズルから画像データの画素値に応じた量のインクを吐出させる。
【００３３】
制御部４０は、ＣＰＵ４１（Ｃｅｎｔｒａｌ  Ｐｒｏｃｅｓｓｉｎｇ  Ｕｎｉｔ）、ＲＡＭ４２（Ｒａｎｄｏｍ  Ａｃｃｅｓｓ  Ｍｅｍｏｒｙ）、ＲＯＭ４３（Ｒｅａｄ  Ｏｎｌｙ  Ｍｅｍｏｒｙ）および記憶部４４を有する。
【００３４】
ＣＰＵ４１は、ＲＯＭ４３に記憶された各種制御用のプログラムや設定データを読み出してＲＡＭ４２に記憶させ、当該プログラムを実行して各種の演算処理を行う。また、ＣＰＵ４１は、インクジェット画像形成装置１の全体動作を統括制御する。
【００３５】
ＲＡＭ４２は、ＣＰＵ４１に作業用のメモリー空間を提供し、一時データを記憶する。なお、ＲＡＭ４２は、不揮発性メモリーを含んでいてもよい。
【００３６】
ＲＯＭ４３は、ＣＰＵ４１により実行される各種制御用のプログラムや設定データ等を格納する。なお、ＲＯＭ４３に代えて、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やフラッシュメモリー等の書き換え可能な不揮発性メモリーが用いられてもよい。
【００３７】
記憶部４４には、入出力インターフェース５２を介して外部装置２から入力された印刷ジョブ（印刷枚数などの種々のユーザー設定情報を含む画像形成指示）および当該印刷ジョブに係る画像データが記憶される。記憶部４４としては、例えばＨＤＤ（Ｈａｒｄ  Ｄｉｓｋ  Ｄｒｉｖｅ）が用いられ、また、ＤＲＡＭ（Ｄｙｎａｍｉｃ  Ｒａｎｄｏｍ  Ａｃｃｅｓｓ  Ｍｅｍｏｒｙ）などが併用されてもよい。
【００３８】
搬送駆動部５１は、制御部４０から供給される制御信号に基づいて搬送ドラム２４の搬送ドラムモーターに駆動信号を供給して搬送ドラム２４を所定の速度およびタイミングで回転させる。また、搬送駆動部５１は、制御部４０から供給される制御信号に基づいて転写ローラー２３のモーターに駆動信号を供給して、転写ベルト２０を所定の速度およびタイミングで回転させる。
【００３９】
入出力インターフェース５２は、外部装置２と制御部４０との間のデータの送受信を媒介する。入出力インターフェース５２は、例えば各種シリアルインターフェース、各種パラレルインターフェースのいずれか、または、これらの組み合わせで構成される。
【００４０】
外部装置２は、例えばパーソナルコンピューターであり、入出力インターフェース５２を介して印刷ジョブおよび画像データ等を制御部４０に供給する。
【００４１】
ところで、転写ベルト２０の裏面においては、表面よりは少ないものの、紙粉やミストの回り込み等により異物の付着が発生する。この場合、転写ベルト２０を透過する活性エネルギー線の光量が減少する結果、転写ベルト２０の表面に吐出されたインクに対して適切に活性エネルギー線が照射されず、当該インクを所望の硬化状態にすることができない。
【００４２】
従来、転写ベルト２０の裏面をクリーニングする手段として、クリーニング部材（例えば、ブラシ・ローラー）を当該裏面に対して当接させる構成が挙げられる（例えば、特許文献２を参照）。
【００４３】
しかしながら、特許文献２に記載されているように、転写ベルト２０の裏面に対して常にクリーニングを行う構成においては、転写ベルト２０を透過する活性エネルギー線の光量を一定量確保して転写ベルト２０に吐出されたインクを所望の状態にすることが可能になる。その一方、常にクリーニングを行うことによる転写ベルト２０への擦過および摩擦による傷が発生しやすく、ひいては転写ベルト２０の寿命が低減してしまうという問題があった。
【００４４】
そこで本実施の形態では、インクジェット画像形成装置１は、活性エネルギー線検出部２８と、裏面クリーニング部２９と、警告出力部３０とを備えている。
【００４５】
活性エネルギー線検出部２８は、転写ベルト２０を介して第１ＵＶ照射部２５に対向配置されている。活性エネルギー線検出部２８は、インクジェットヘッド１０２からインクが吐出されないタイミング（すなわち非画像形成タイミング）において、第１ＵＶ照射部２５により照射されて転写ベルト２０を透過した活性エネルギー線を検出する。
【００４６】
本実施の形態では、活性エネルギー線検出部２８は、活性エネルギー線の光量を検出し、当該光量に対応する電気信号を制御部４０に出力するフォトセンサーである。また、第１ＵＶ照射部２５により照射される活性エネルギー線の波長帯域は、転写ベルト２０により担持されるインクの粘度を調整するために用いられる活性エネルギー線の波長帯域と略同一である。活性エネルギー線検出部２８により検出される活性エネルギー線は、例えば第１ＵＶ照射部２５の構成の簡便化から、インクの硬化に影響する波長帯域を有していることが好ましいからである。
【００４７】
制御部４０は、活性エネルギー線検出部２８の検出結果（光量）に基づいて、転写ベルト２０の裏面をクリーニングするか否かについて判定する。制御部４０は、転写ベルト２０の裏面をクリーニングすると判定した場合、転写ベルト２０の裏面をクリーニングするように裏面クリーニング部２９を制御する。
【００４８】
裏面クリーニング部２９は、転写ベルト２０の移動方向において従動ローラー２１と転写ローラー２３（駆動ローラー）との間における転写ベルト２０の裏面に対向配置され、転写ベルト２０の裏面をクリーニングするスポンジローラーを備える。スポンジローラーは例えば、金属製の芯金に発泡ウレタン層（弾性層）を形成した弾性スポンジローラーである。
【００４９】
裏面クリーニング部２９のスポンジローラーは、転写ベルト２０に対して接触離間可能、かつ、回転可能に構成されており、制御部４０の制御により転写ベルト２０に対して接触して回転することにより、転写ベルト２０の裏面に付着した異物（転写残やミストによる不要なインクや紙粉）を除去する。これにより、転写ベルト２０を透過する活性エネルギー線の光量を一定量確保して、画像形成時に転写ベルト２０に吐出されたインクを所望の硬化状態にすることができる。言い換えると、転写ベルト２０の表面に異物が付着（固着）している場合に、インクに対して適切に活性エネルギー線が照射されず、当該インクを所望の硬化状態にすることができない事態を回避することができる。
【００５０】
次に、図３を参照して、インクジェット画像形成装置１のクリーニング動作例について説明する。なお、図３に示す処理は、非画像形成タイミングに実行される。転写ベルト２０に形成された画像（インク）によって、第１ＵＶ照射部２５から照射された活性エネルギー線が吸収され、活性エネルギー線検出部２８の検出結果（ステップＳ１００，Ｓ１８０）が不必要に変動することを防止するためである。ステップＳ１００の処理前においては、裏面クリーニング部２９は、転写ベルト２０の裏面から離間した状態である。また、転写ベルト２０は、制御部４０の制御信号に基づいて回転駆動されている。
【００５１】
まず、制御部４０は、活性エネルギー線検出部２８の検出結果（光量）を取得する（ステップＳ１００）。次に、制御部４０は、検出結果を参照し、第１ＵＶ照射部２５により照射されて転写ベルト２０を透過した活性エネルギー線の光量が所定光量以下であるか否かについて判定する（ステップＳ１２０）。
【００５２】
判定の結果、活性エネルギー線の光量が所定光量以下でない場合（ステップＳ１２０、ＮＯ）、制御部４０は、転写ベルト２０の表面および裏面に付着している異物は少ないと判断する。インクジェット画像形成装置１は、図３における処理を終了する。一方、活性エネルギー線の光量が所定光量以下である場合（ステップＳ１２０、ＹＥＳ）、制御部４０は、転写ベルト２０の表面および裏面の少なくとも一方に異物が多く付着していると判断する。そして、制御部４０は、インクジェットヘッド１０２からインクが吐出されるとき（すなわち、画像形成タイミング）と比べて表面クリーニング部２７のクリーニング性能を向上させる制御を行う（ステップＳ１４０）。画像形成タイミングでは除去できず転写ベルト２０の表面に異物が固着している場合においても確実に当該異物を除去するためである。
【００５３】
表面クリーニング部２７のクリーニング性能を向上させる制御としては例えば、転写ベルト２０に対して表面クリーニング部２７のドライウェブが接触する接触力を増大させる制御、ドライウェブの回転速度を増大させる制御、転写ベルト２０の回転方向に対してドライウェブの回転方向をカウンター方向に変更する制御等が挙げられる。
【００５４】
次に、制御部４０は、転写ベルト２０の表面をクリーニングするように表面クリーニング部２７を制御する（ステップＳ１６０）。次に、制御部４０は、ステップＳ１６０の処理後における活性エネルギー線検出部２８の検出結果（光量）を取得する（ステップＳ１８０）。
【００５５】
次に、制御部４０は、検出結果を参照し、第１ＵＶ照射部２５により照射されて転写ベルト２０を透過した活性エネルギー線の光量が所定光量以下であるか否かについて判定する（ステップＳ２００）。判定の結果、活性エネルギー線の光量が所定光量以下でない場合（ステップＳ２００、ＮＯ）、制御部４０は、転写ベルト２０の表面および裏面に付着している異物は少ないと判断する。これにより、転写ベルト２０を透過する活性エネルギー線の光量を一定量確保することができる。その後、インクジェット画像形成装置１は、図３における処理を終了する。
【００５６】
一方、活性エネルギー線の光量が所定光量以下である場合（ステップＳ２００、ＹＥＳ）、制御部４０は、転写ベルト２０の裏面に異物が多く付着していると判断する。そして、制御部４０は、転写ベルト２０の裏面に接触して、当該裏面をクリーニングするように裏面クリーニング部２９を制御する（ステップＳ２２０）。このように転写ベルト２０の裏面に異物が多く付着していると判断された場合に、転写ベルト２０の裏面に裏面クリーニング部２９を接触させることによって、当該裏面への不必要な擦過および摩擦による傷の発生を防止することができる。その後、インクジェット画像形成装置１は、図３における処理を終了する。
【００５７】
なお、図３に示すフローチャートにおいて、ステップＳ２２０の後に、第１ＵＶ照射部２５により照射されて転写ベルト２０を透過した活性エネルギー線の光量を検出し、当該光量が所定光量以下である場合、警告出力部３０は、転写ベルト２０が故障または寿命である旨を示す警告を出力（表示出力、音声出力）しても良い。
【００５８】
以上詳しく説明したように、本実施の形態では、インクジェット画像形成装置１は、活性エネルギー線透過性を有し、インクジェットヘッド１０２から吐出されたインクを表面で担持する転写ベルト２０（転写体）と、転写ベルト２０の裏面に対して活性エネルギー線を照射する第１ＵＶ照射部２５（照射部）と、第１ＵＶ照射部２５により照射されて転写ベルト２０を透過した活性エネルギー線を検出する活性エネルギー線検出部２８と、活性エネルギー線検出部２８の検出結果に基づいて、転写ベルト２０の裏面をクリーニングするか否かについて判定する制御部４０（判定部）とを備える。
【００５９】
このように構成した本実施の形態によれば、転写ベルト２０の裏面をクリーニングするか否かについての判定の結果を利用して、適切なタイミング（すなわち、転写ベルト２０の裏面をクリーニングする必要がある場合）に限定して、転写ベルト２０の裏面をクリーニングすることができる。したがって、中間転写体の裏面に対して常にクリーニングを行う従来技術と比べて、転写ベルト２０に対する裏面クリーニング部２９の擦過および摩擦による傷の発生を防止し、ひいては転写ベルト２０の寿命が低減してしまうことを防止することができる。また、転写ベルト２０の裏面に多く付着した異物を除去することにより、転写ベルト２０を透過する活性エネルギー線の光量を一定量確保して、画像形成時に転写ベルト２０に吐出されたインクを所望の硬化状態にすることができる。
【００６０】
なお、上記実施の形態において、インクジェット画像形成装置１の構成は図４に示す構成であっても良い。すなわち、インクジェット画像形成装置１は、転写ベルト２０の裏面側に設けられ、転写ベルト２０の裏面に付着した異物を検出する異物検出部３１をさらに備える。
【００６１】
異物検出部３１は、転写ベルト２０の移動方向において第１ＵＶ照射部２５と転写ローラー２３（駆動ローラー）との間における転写ベルト２０の裏面に対向配置される光反射型のフォトセンサーである。異物検出部３１は、転写ベルト２０の裏面に照射光を照射して当該裏面からの反射光を検出し、その検出結果に応じて、転写ベルト２０の裏面に付着した異物を検出する。
【００６２】
制御部４０は、活性エネルギー線検出部２８および異物検出部３１の検出結果に基づいて、転写ベルト２０の裏面をクリーニングするか否かについて判定する。
【００６３】
次に、図５を参照して、図４に示すインクジェット画像形成装置１のクリーニング動作例について説明する。なお、図５に示す処理は、非画像形成タイミングに実行される。転写ベルト２０に形成された画像（インク）によって、第１ＵＶ照射部２５から照射された活性エネルギー線が吸収され、活性エネルギー線検出部２８の検出結果（ステップＳ３００）が不必要に変動することを防止するためである。ステップＳ３００の処理前においては、裏面クリーニング部２９は、転写ベルト２０の裏面から離間した状態である。また、転写ベルト２０は、制御部４０の制御信号に基づいて回転駆動されている。
【００６４】
まず、制御部４０は、活性エネルギー線検出部２８の検出結果（光量）を取得する（ステップＳ３００）。次に、制御部４０は、検出結果を参照し、第１ＵＶ照射部２５により照射されて転写ベルト２０を透過した活性エネルギー線の光量が所定光量以下であるか否かについて判定する（ステップＳ３２０）。
【００６５】
判定の結果、活性エネルギー線の光量が所定光量以下でない場合（ステップＳ３２０、ＮＯ）、インクジェット画像形成装置１は、図５における処理を終了する。一方、活性エネルギー線の光量が所定光量以下である場合（ステップＳ３２０、ＹＥＳ）、制御部４０は、転写ベルト２０の表面および裏面の少なくとも一方に異物が多く付着していると判断する。
【００６６】
次に、制御部４０は、異物検出部３１の検出結果を取得する（ステップＳ３４０）。次に、制御部４０は、検出結果を参照し、異物検出部３１により検出された異物の量が所定量以上であるか否かについて判定する（ステップＳ３６０）。
【００６７】
判定の結果、検出された異物の量が所定量以上である場合（ステップＳ３６０、ＹＥＳ）、制御部４０は、転写ベルト２０の裏面に異物が多く付着していると判断する。そして、制御部４０は、転写ベルト２０の裏面に接触して、当該裏面をクリーニングするように裏面クリーニング部２９を制御する（ステップＳ３８０）。その後、インクジェット画像形成装置１は、図５における処理を終了する。
【００６８】
一方、検出された異物の量が所定量以上でない場合（ステップＳ３６０、ＮＯ）、制御部４０は、転写ベルト２０の裏面ではなく、表面に異物が多く付着していると判断する。そして、制御部４０は、インクジェットヘッド１０２からインクが吐出されるとき（すなわち、画像形成タイミング）と比べて表面クリーニング部２７のクリーニング性能を向上させる制御を行う（ステップＳ４００）。
【００６９】
次に、制御部４０は、転写ベルト２０の表面をクリーニングするように表面クリーニング部２７を制御する（ステップＳ４２０）。その後、インクジェット画像形成装置１は、図５における処理を終了する。
【００７０】
なお、図５に示すフローチャートのステップＳ３８０の前または後において、制御部４０は、転写ベルト２０の表面をクリーニングするように表面クリーニング部２７を制御しても良い。ステップＳ３６０において異物検出部３１により検出された異物の量が所定量以上であると判定された場合、転写ベルト２０の裏面だけでなく表面にも異物が多く付着している可能性はあるからである。
【００７１】
また、上記実施の形態において、インクジェット画像形成装置１の構成は図６に示す構成であっても良い。すなわち、インクジェット画像形成装置１は、活性エネルギー線検出部２８を備えず、第３ＵＶ照射部３２、活性エネルギー線検出部３３および前処理液供給部３４をさらに備える。
【００７２】
第３ＵＶ照射部３２は、転写ベルト２０の裏面側に配置され、制御部４０の制御の下、転写ニップＮＰよりも下流側において転写ベルト２０に対して転写ベルト２０の裏面側から活性エネルギー線を照射する。図６において、第３ＵＶ照射部３２から伸びる点線矢印は、転写ベルト２０に対して転写ベルト２０の裏面側から照射された活性エネルギー線を示している。第３ＵＶ照射部３２は、波長３９５ｎｍのＵＶ光を出力するＵＶ光源を備え、照射強度の値が５ｍＷ／ｃｍ２とされる。
【００７３】
活性エネルギー線検出部３３は、転写ベルト２０を介して第３ＵＶ照射部３２に対向配置されている。活性エネルギー線検出部３３は、前処理液供給部３４により転写ベルト２０に対して前処理液が供給される前のタイミングにおいて、第３ＵＶ照射部３２により照射されて転写ベルト２０を透過した活性エネルギー線を検出する。具体的には、活性エネルギー線検出部３３は、活性エネルギー線の光量を検出し、当該光量に対応する電気信号を制御部４０に出力するフォトセンサーである。
【００７４】
前処理液供給部３４は、インクジェットヘッド１０２からインクが吐出される前に、転写ベルト２０の表面に前処理液（プレコート液）を供給するウェブローラーを備える。転写ベルト２０の表面に前処理液が供給されることによって、転写ベルト２０に担持されたインクを転写ニップＮＰで記録媒体Ｐに転写する際の転写性能を向上させることができる。
【００７５】
次に、図７を参照して、図６に示すインクジェット画像形成装置１のクリーニング動作例について説明する。なお、図７に示す処理は、表面クリーニング部２７により転写ベルト２０の表面がクリーニングされた（すなわち、前処理液が除去された）後、かつ、転写ベルト２０の表面に前処理液が供給される前のタイミングにおいて実行される。転写ベルト２０に供給された前処理液によって、第３ＵＶ照射部３２から照射された活性エネルギー線が吸収され、活性エネルギー線検出部３３の検出結果（ステップＳ５００，Ｓ５８０）が不必要に変動することを防止するためである。ステップＳ５００の処理前においては、裏面クリーニング部２９は、転写ベルト２０の裏面から離間した状態である。また、転写ベルト２０は、制御部４０の制御信号に基づいて回転駆動されている。
【００７６】
まず、制御部４０は、活性エネルギー線検出部３３の検出結果（光量）を取得する（ステップＳ５００）。次に、制御部４０は、検出結果を参照し、第３ＵＶ照射部３２により照射されて転写ベルト２０を透過した活性エネルギー線の光量が所定光量以下であるか否かについて判定する（ステップＳ５２０）。
【００７７】
判定の結果、活性エネルギー線の光量が所定光量以下でない場合（ステップＳ５２０、ＮＯ）、制御部４０は、転写ベルト２０の表面および裏面に付着している異物は少ないと判断する。そして、インクジェット画像形成装置１は、図７における処理を終了する。一方、活性エネルギー線の光量が所定光量以下である場合（ステップＳ５２０、ＹＥＳ）、制御部４０は、転写ベルト２０の表面および裏面の少なくとも一方に異物が多く付着していると判断する。そして、制御部４０は、インクジェットヘッド１０２からインクが吐出されるとき（すなわち、画像形成タイミング）と比べて表面クリーニング部２７のクリーニング性能を向上させる制御を行う（ステップＳ５４０）。
【００７８】
次に、制御部４０は、転写ベルト２０の表面をクリーニングするように表面クリーニング部２７を制御する（ステップＳ５６０）。次に、制御部４０は、ステップＳ５６０の処理後における活性エネルギー線検出部３３の検出結果（光量）を取得する（ステップＳ５８０）。
【００７９】
次に、制御部４０は、検出結果を参照し、第３ＵＶ照射部３２により照射されて転写ベルト２０を透過した活性エネルギー線の光量が所定光量以下であるか否かについて判定する（ステップＳ６００）。判定の結果、活性エネルギー線の光量が所定光量以下でない場合（ステップＳ６００、ＮＯ）、制御部４０は、転写ベルト２０の表面および裏面に付着している異物は少ないと判断する。これにより、転写ベルト２０を透過する活性エネルギー線の光量を一定量確保することができる。その後、インクジェット画像形成装置１は、図７における処理を終了する。
【００８０】
一方、活性エネルギー線の光量が所定光量以下である場合（ステップＳ６００、ＹＥＳ）、制御部４０は、転写ベルト２０の裏面に異物が多く付着していると判断する。そして、制御部４０は、転写ベルト２０の裏面に接触して、当該裏面をクリーニングするように裏面クリーニング部２９を制御する（ステップＳ６２０）。このように転写ベルト２０の裏面に異物が多く付着していると判断された場合に、転写ベルト２０の裏面に裏面クリーニング部２９を接触させることによって、当該裏面への不必要な擦過および摩擦による傷の発生を防止することができる。その後、インクジェット画像形成装置１は、図７における処理を終了する。
【００８１】
また、上記実施の形態において、第１ＵＶ照射部２５は、転写ベルト２０の裏面に対して光量が異なる複数の活性エネルギー線を照射しても良い。この場合、活性エネルギー線検出部２８は、第１ＵＶ照射部２５により照射されて転写ベルト２０を透過した複数の活性エネルギー線を検出する。この構成により、外乱ノイズとなる活性エネルギー線が活性エネルギー線検出部２８で検出されても、他の正常な活性エネルギー線により活性エネルギー線検出部２８の検出結果を補償することができ、ひいては活性エネルギー線検出部２８の検出精度を向上させることができる。
【００８２】
また、上記実施の形態では、転写ベルト２０の裏面がクリーニングされない場合、裏面クリーニング部２９は、転写ベルト２０の裏面から離間した状態である例について説明したが、本発明はこれに限らない。例えば、転写ベルト２０の裏面がクリーニングされない場合、裏面クリーニング部２９は、転写ベルト２０の裏面がクリーニングされる場合と比べて、転写ベルト２０の裏面に対する摺擦力が減少するように制御（例えば、転写ベルト２０に対して従動回転）しても良い。
【００８３】
また、上記実施の形態では、第１ＵＶ照射部２５により照射される活性エネルギー線は、紫外線である例について説明したが、本発明はこれに限らない。例えば、活性エネルギー線は、電子線であっても良い。この場合、電子線に応じて粘度が変化するインクが用いられることが好ましく、活性エネルギー線検出部２８は電子線を検出することが好ましい。
【００８４】
また、上記実施の形態において、制御部４０により転写ベルト２０の裏面に異物が多く付着していると判断された場合、警告出力部３０は、転写ベルト２０の裏面に異物が多く付着している旨を示す警告を出力しても良い。
【００８５】
また、上記実施の形態では、表面クリーニング部２７は、転写ベルト２０の表面をクリーニングするドライウェブ（ウェブローラー）を備える例について説明したが、本発明はこれに限らない。例えば、表面クリーニング部２７は、転写ベルト２０の表面をクリーニングするスポンジローラー、クリーニングブラシまたはクリーニングブレード等を備えても良い。
【００８６】
また、上記実施の形態では、裏面クリーニング部２９は、転写ベルト２０の裏面をクリーニングするスポンジローラーを備える例について説明したが、本発明はこれに限らない。例えば、裏面クリーニング部２９は、転写ベルト２０の裏面をクリーニングするドライウェブ（ウェブローラー）、クリーニングブラシまたはクリーニングブレード等を備えても良い。
【００８７】
また、上記実施の形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８８】
１  インクジェット画像形成装置
２  外部装置
１０  ヘッドユニット
２０  転写ベルト
２１，２２  従動ローラー
２３  転写ローラー
２４  搬送ドラム
２５  第１ＵＶ照射部
２６  第２ＵＶ照射部
２７  表面クリーニング部
２８，３３  活性エネルギー線検出部
２９  裏面クリーニング部
３０  警告出力部
３１  異物検出部
３２  第３ＵＶ照射部
３４  前処理液供給部
４０  制御部
４１  ＣＰＵ
４２  ＲＡＭ
４３  ＲＯＭ
４４  記憶部
５１  搬送駆動部
５２  入出力インターフェース
１０１  ヘッド駆動部
１０２  インクジェットヘッド
ＮＰ  転写ニップ
Ｐ  記録媒体
【図１】
2020172079.tif 000003
【図２】
2020172079.tif 000004
【図３】
2020172079.tif 000005
【図４】
2020172079.tif 000006
【図５】
2020172079.tif 000007
【図６】
2020172079.tif 000008
【図７】
2020172079.tif 000009